(57)【要約】  【課題】金種別貨幣収納部に釣銭準備金を確保しつつ逆両替や低額金種での入金を可能にできる貨幣入出金装置を提供する。  【解決手段】貨幣入出金装置は、投入貨幣を金種別貨幣収納部に収納し、投入貨幣の金額が入金金額より大きい場合の差額を釣銭として金種別貨幣収納部から払い出し、入金金額に相当する貨幣を金種別貨幣収納部から受収収納部へ収納する。金種別貨幣収納部での収納可能枚数内で余剰と判別する余剰設定枚数を予め設定する。金種別貨幣収納部の収納枚数が余剰設定枚数に達していない場合、金種別貨幣収納部から受収収納部へ収納する貨幣の金種構成を最小構成枚数とし、釣銭準備金を確保する。金種別貨幣収納部の収納枚数が余剰設定枚数に達した場合、金種別貨幣収納部から受収収納部へ収納する貨幣の金種構成を余剰設定枚数に達した余剰金種を優先し、逆両替や低額金種での入金を可能にする。  【選択図】図１
2005157574.tif 000002
【特許請求の範囲】
【請求項１】
貨幣を収納および払出可能とする金種別貨幣収納部と貨幣を収納可能とする受収収納部とを備え、投入貨幣を金種別貨幣収納部に収納するとともに投入貨幣の金額が入金金額より大きい場合の差額を釣銭として金種別貨幣収納部から払い出し、入金金額に相当する貨幣を金種別貨幣収納部から受収収納部へ収納する貨幣入出金装置において、
前記金種別貨幣収納部の貨幣を収納可能とする収納可能枚数内で余剰と判別する余剰設定枚数を設定する余剰設定枚数設定手段と、
この余剰設定枚数設定手段で設定された余剰設定枚数を記憶する余剰設定枚数記憶部と、
前記金種別貨幣収納部の貨幣の収納枚数と設定された余剰設定枚数とを比較し、金種別貨幣収納部の収納枚数が余剰設定枚数に達していない場合に金種別貨幣収納部から受収収納部へ収納する貨幣の金種構成に対し、金種別貨幣収納部の収納枚数が余剰設定枚数に達した場合に金種別貨幣収納部から受収収納部へ収納する貨幣の金種構成を変更する制御部と
を具備していることを特徴とする貨幣入出金装置。
【請求項２】
制御部は、金種別貨幣収納部から受収収納部へ収納する貨幣の金種構成を、金種別貨幣収納部の収納枚数が余剰設定枚数に達していない場合には最小構成枚数となる金種構成とし、金種別貨幣収納部の収納枚数が余剰設定枚数に達した場合には余剰設定枚数に達した余剰金種を優先した金種構成とする
ことを特徴とする請求項１記載の貨幣入出金装置。
【請求項３】
制御部は、金種別貨幣収納部の収納枚数が余剰設定枚数に達した場合に、余剰設定枚数を超える余剰枚数内で余剰金種を優先した金種構成で入金金額に相当する貨幣を金種別貨幣収納部から受収収納部へ収納可能か判断し、収納不可能であれば最小構成枚数となる金種構成とし、収納可能であれば余剰金種を優先した金種構成とする
ことを特徴とする請求項２記載の貨幣入出金装置。
【請求項４】
制御部は、金種別貨幣収納部から受収収納部へ収納する貨幣の金種構成を、金種別貨幣収納部の収納枚数が余剰設定枚数に達していない場合には最小構成枚数となる金種構成とし、金種別貨幣収納部の収納枚数が余剰設定枚数に達した場合には投入貨幣を優先した金種構成とする
ことを特徴とする請求項１記載の貨幣入出金装置。
【発明の詳細な説明】
【技術分野】
【０００１】
本発明は、投入貨幣を金種別貨幣収納部に収納するとともに投入貨幣の金額が入金金額より大きい場合の差額を釣銭として金種別貨幣収納部から払い出す貨幣入出金装置に関する。
【背景技術】
【０００２】
従来、例えば、店舗用の貨幣入出金装置では、売上金の貨幣を投入することにより、投入貨幣を識別計数して収納および払出可能とする金種別貨幣収納部に一旦収納し、この金種別貨幣収納部から入金金額に相当する貨幣を送り出して装置下部に設置された金庫である受収収納部に収納している。受収収納部は貨幣の収納することは可能であるが取り出すことはできず、受収収納部内の貨幣の回収業務を行う管理センタの担当者だけが取り出しことができるようにしており、売上金を受収収納部内に収納することで、売上金の管理が店舗側から管理センタ側に移り、店舗での売上金の管理責任の負担を軽減するようにしている。
【０００３】
投入貨幣を金種別貨幣収納部に一旦収納するのは、投入貨幣の金額が入金金額よりも大きい場合にその差額を釣銭として金種別貨幣収納部から払い出すことから、釣銭準備金として用いるためである。そして、金種別貨幣収納部から受収収納部に収納する貨幣は、金種別貨幣収納部の釣銭準備金が不足しないように釣銭に使うことのできる低額金種を金種別貨幣収納部に残すようにし、高額金種を主体とする最小構成枚数の金種構成としている（例えば、特許文献１参照。）。
【特許文献１】特開２００３−１４１６０９号公報（第６頁）
【発明の開示】
【発明が解決しようとする課題】
【０００４】
しかしながら、貨幣入出金装置の運用が進むにつれて、釣銭として使うための低額金種が増加し、高額金種が減少する傾向があるため、低額金種から高額金種への逆両替ができなかったり、低額金種の金種別貨幣収納部が満杯状態となった場合に低額金種での入金ができないなどの問題がある。
【０００５】
本発明は、このような点に鑑みなされたもので、金種別貨幣収納部の貨幣の収納枚数に応じて金種別貨幣収納部から受収収納部へ収納する貨幣の金種構成を適切に設定可能とすることにより、運用が進んでも例えば逆両替や低額金種での入金を可能にできる貨幣入出金装置を提供することを目的とする。
【課題を解決するための手段】
【０００６】
請求項１記載の貨幣入出金装置は、貨幣を収納および払出可能とする金種別貨幣収納部と貨幣を収納可能とする受収収納部とを備え、投入貨幣を金種別貨幣収納部に収納するとともに投入貨幣の金額が入金金額より大きい場合の差額を釣銭として金種別貨幣収納部から払い出し、入金金額に相当する貨幣を金種別貨幣収納部から受収収納部へ収納する貨幣入出金装置において、前記金種別貨幣収納部の貨幣を収納可能とする収納可能枚数内で余剰と判別する余剰設定枚数を設定する余剰設定枚数設定手段と、この余剰設定枚数設定手段で設定された余剰設定枚数を記憶する余剰設定枚数記憶部と、前記金種別貨幣収納部の貨幣の収納枚数と設定された余剰設定枚数とを比較し、金種別貨幣収納部の収納枚数が余剰設定枚数に達していない場合に金種別貨幣収納部から受収収納部へ収納する貨幣の金種構成に対し、金種別貨幣収納部の収納枚数が余剰設定枚数に達した場合に金種別貨幣収納部から受収収納部へ収納する貨幣の金種構成を変更する制御部とを具備しているものである。
【０００７】
そして、この構成では、金種別貨幣収納部の貨幣の収納枚数と予め設定された余剰設定枚数とを比較し、金種別貨幣収納部の収納枚数が余剰設定枚数に達していない場合と達した場合とで金種別貨幣収納部から受収収納部へ収納する貨幣の金種構成を変更するため、金種別貨幣収納部の貨幣の収納枚数に応じて金種別貨幣収納部から受収収納部へ収納する貨幣の金種構成を適切に設定することが可能で、例えば金種別貨幣収納部に釣銭準備金を確保しつつ運用が進んでも逆両替や低額金種での入金が可能になる。
【０００８】
請求項２記載の貨幣入出金装置は、請求項１記載の貨幣入出金装置において、制御部は、金種別貨幣収納部から受収収納部へ収納する貨幣の金種構成を、金種別貨幣収納部の収納枚数が余剰設定枚数に達していない場合には最小構成枚数となる金種構成とし、金種別貨幣収納部の収納枚数が余剰設定枚数に達した場合には余剰設定枚数に達した余剰金種を優先した金種構成とするものである。
【０００９】
そして、この構成では、金種別貨幣収納部の収納枚数が余剰設定枚数に達していない場合には、金種別貨幣収納部から受収収納部へ収納する貨幣の金種構成を最小構成枚数となる金種構成とすることにより、金種別貨幣収納部に釣銭準備金が確保され、また、金種別貨幣収納部の収納枚数が余剰設定枚数に達した場合には、金種別貨幣収納部から受収収納部へ収納する貨幣の金種構成を余剰設定枚数に達した余剰金種を優先した金種構成とすることにより、逆両替や低額金種での入金が可能になる。
【００１０】
請求項３記載の貨幣入出金装置は、請求項２記載の貨幣入出金装置において、制御部は、金種別貨幣収納部の収納枚数が余剰設定枚数に達した場合に、余剰設定枚数を超える余剰枚数内で余剰金種を優先した金種構成で入金金額に相当する貨幣を金種別貨幣収納部から受収収納部へ収納可能か判断し、収納不可能であれば最小構成枚数となる金種構成とし、収納可能であれば余剰金種を優先した金種構成とするものである。
【００１１】
そして、この構成では、金種別貨幣収納部の収納枚数が余剰設定枚数に達した場合に、余剰設定枚数を超える余剰枚数内で余剰金種を優先した金種構成で入金金額に相当する貨幣を金種別貨幣収納部から受収収納部へ収納可能か判断するため、収納可能なときのみ余剰金種を優先した金種構成で収納可能になる。
【００１２】
請求項４記載の貨幣入出金装置は、請求項１記載の貨幣入出金装置において、制御部は、金種別貨幣収納部から受収収納部へ収納する貨幣の金種構成を、金種別貨幣収納部の収納枚数が余剰設定枚数に達していない場合には最小構成枚数となる金種構成とし、金種別貨幣収納部の収納枚数が余剰設定枚数に達した場合には投入貨幣を優先した金種構成とするものである。
【００１３】
そして、この構成では、金種別貨幣収納部の収納枚数が余剰設定枚数に達していない場合には、金種別貨幣収納部から受収収納部へ収納する貨幣の金種構成を最小構成枚数となる金種構成とすることにより、金種別貨幣収納部に釣銭準備金が確保され、また、金種別貨幣収納部の収納枚数が余剰設定枚数に達した場合には、金種別貨幣収納部から受収収納部へ収納する貨幣の金種構成を投入貨幣を優先した金種構成とすることにより、逆両替や低額金種での入金が可能になる。
【発明の効果】
【００１４】
請求項１記載の貨幣入出金装置によれば、金種別貨幣収納部の貨幣の収納枚数と予め設定された余剰設定枚数とを比較し、金種別貨幣収納部の収納枚数が余剰設定枚数に達していない場合と達した場合とで金種別貨幣収納部から受収収納部へ収納する貨幣の金種構成を変更するため、金種別貨幣収納部の貨幣の収納枚数に応じて金種別貨幣収納部から受収収納部へ収納する貨幣の金種構成を適切に設定することができ、例えば金種別貨幣収納部に釣銭準備金を確保しつつ運用が進んでも逆両替や低額金種での入金を可能にできる。
【００１５】
請求項２記載の貨幣入出金装置によれば、請求項１記載の貨幣入出金装置の効果に加えて、金種別貨幣収納部の収納枚数が余剰設定枚数に達していない場合には、金種別貨幣収納部から受収収納部へ収納する貨幣の金種構成を最小構成枚数となる金種構成とすることにより、金種別貨幣収納部に釣銭準備金を確保でき、また、金種別貨幣収納部の収納枚数が余剰設定枚数に達した場合には、金種別貨幣収納部から受収収納部へ収納する貨幣の金種構成を余剰設定枚数に達した余剰金種を優先した金種構成とすることにより、逆両替や低額金種での入金を確実にできる。
【００１６】
請求項３記載の貨幣入出金装置によれば、請求項２記載の貨幣入出金装置の効果に加えて、金種別貨幣収納部の収納枚数が余剰設定枚数に達した場合に、余剰設定枚数を超える余剰枚数内で余剰金種を優先した金種構成で入金金額に相当する貨幣を金種別貨幣収納部から受収収納部へ収納可能か判断するため、収納可能なときのみ余剰金種を優先した金種構成で収納できる。
【００１７】
請求項４記載の貨幣入出金装置によれば、請求項１記載の貨幣入出金装置の効果に加えて、金種別貨幣収納部の収納枚数が余剰設定枚数に達していない場合には、金種別貨幣収納部から受収収納部へ収納する貨幣の金種構成を最小構成枚数となる金種構成とすることにより、金種別貨幣収納部に釣銭準備金を確保でき、また、金種別貨幣収納部の収納枚数が余剰設定枚数に達した場合には、金種別貨幣収納部から受収収納部へ収納する貨幣の金種構成を投入貨幣を優先した金種構成とすることにより、逆両替や低額金種での入金を確実にできる。
【発明を実施するための最良の形態】
【００１８】
以下、本発明の一実施の形態を図面を参照して説明する。
【００１９】
図２に貨幣入出金装置の構成図を示し、この貨幣入出金装置11は、例えば店舗に設置され、店舗での売上金の入金処理、釣銭の出金処理などを可能としているとともに、入金された売上金の別管理での回収収納を可能としており、回収収納した売上金は店舗側とは別管理となって売上金の回収業務を行う管理センタの担当者などにより回収されて処理センタへ移送する。
【００２０】
貨幣入出金装置11は、機体12を有し、この機体12は、上部ブロック13および下部ブロック14を備えている。上部ブロック13には、貨幣としての硬貨および紙幣を入出金処理する貨幣入出金処理部としての硬貨入出金処理部15および紙幣入出金処理部16が配設されている。下部ブロック14は、硬貨および紙幣を回収収納する別管理の金庫であり、この下部ブロック14には、硬貨および紙幣をそれぞれ収納する受収収納部としての硬貨カセット17および紙幣カセット18が配設されている。
【００２１】
硬貨入出金処理部15は、硬貨が投入される入金口部21を有し、この入金口部21に投入された硬貨を入金口部21から１枚ずつ繰り出して搬送し、搬送する硬貨を識別部22で識別する。その識別の結果、入金リジェクト硬貨は入金リジェクト口部23へ送り込んで返却し、正規硬貨は選別部24で金種別に選別する。この選別部24では、５円硬貨のみを電気的駆動手段によって強制的に選別し、５円以外の硬貨を小径硬貨から大径硬貨の順に径選別する。選別部24で選別した硬貨は金種別貨幣収納部としての金種別硬貨収納部25に金種別に収納する。これら金種別硬貨収納部25はそれぞれ独立して収納硬貨を１枚ずつ繰出可能とし、繰り出した硬貨は出金口部26へ送り込んで払い出すか硬貨カセット17へ送り込んで収納する。
【００２２】
紙幣入出金処理部16は、紙幣が投入される入金口部31を有し、この入金口部31に投入された紙幣を１枚ずつ繰り出して搬送し、搬送する紙幣を識別部32で識別する。その識別の結果、入金リジェクト紙幣は逆方向へ搬送して出金口部33に送り込んで返却し、千円、五千円および万円の正規紙幣は金種別貨幣収納部としての金種別紙幣収納部34に金種別に収納する。これら金種別紙幣収納部34はそれぞれ独立して収納紙幣を１枚ずつ繰出可能とし、繰り出した紙幣は出金口部33へ送り込んで払い出すか紙幣カセット18へ送り込んで収納する。
【００２３】
図３に貨幣入出金装置のブロック図を示し、硬貨入出金装置11を制御する制御部41には、各種の設定事項や入金金額などの入力事項を入力する入力部42、各種の記憶事項を記憶する記憶手段43、硬貨を入出金処理する硬貨入出金処理部15、および紙幣を入出金処理する紙幣入出金処理部16が接続されている。
【００２４】
入力部42は、金種別硬貨収納部25の硬貨および金種別紙幣収納部34の紙幣の金種毎の収納可能とする収納可能枚数内で余剰と判別する基準となる余剰設定枚数を設定する余剰設定枚数設定手段44a、収納モードとして余剰設定枚数に達した余剰金種を優先した金種構成とする余剰金優先モードと投入貨幣を優先した金種構成とする投入貨幣優先モードとを選択設定する収納モード設定手段44bを有している。
【００２５】
記憶手段43は、設定された硬貨および紙幣の金種別の余剰設定枚数をそれぞれ記憶する余剰設定枚数記憶部45a、および金種別硬貨収納部25および金種別紙幣収納部34に収納されている硬貨および紙幣の収納枚数（在高）を記憶する金種別収納枚数記憶部45b、余剰金優先モードおよび投入貨幣優先モードのうち選択設定された収納モードを記憶する収納モード記憶部45cを有している。
【００２６】
制御部41は、投入貨幣を金種別硬貨収納部25および金種別紙幣収納部34に収納するとともに投入貨幣の金額が入金金額より大きい場合の差額を釣銭として金種別硬貨収納部25および金種別紙幣収納部34から払い出し、入金金額に相当する貨幣を金種別硬貨収納部25および金種別紙幣収納部34から硬貨カセット17および紙幣カセット18へ収納する機能を有している。
【００２７】
さらに、制御部41は、金種別硬貨収納部25の硬貨および金種別紙幣収納部34の紙幣の収納枚数と予め設定された余剰設定枚数とを比較し、金種別硬貨収納部25および金種別紙幣収納部34の収納枚数が余剰設定枚数に達していない場合に金種別硬貨収納部25および金種別紙幣収納部34から硬貨カセット17および紙幣カセット18へ収納する貨幣の金種構成に対し、金種別硬貨収納部25および金種別紙幣収納部34の収納枚数が余剰設定枚数に達した場合に金種別硬貨収納部25および金種別紙幣収納部34から硬貨カセット17および紙幣カセット18へ収納する貨幣の金種構成を変更する機能を有している。
【００２８】
すなわち、金種別硬貨収納部25および金種別紙幣収納部34の収納枚数が余剰設定枚数に達していない場合には、金種別硬貨収納部25および金種別紙幣収納部34から硬貨カセット17および紙幣カセット18へ収納する貨幣の金種構成を、高額金種を主体として最小構成枚数となる金種構成する。
【００２９】
また、金種別硬貨収納部25および金種別紙幣収納部34の収納枚数が余剰設定枚数に達した場合には、予め設定された収納モードにより、余剰設定枚数に達した余剰金種を優先したうえで余剰金種以外は高額金種を主体として最小構成枚数となる金種構成とするか、または投入貨幣を優先した金種構成とする。
【００３０】
さらに、金種別硬貨収納部25および金種別紙幣収納部34の収納枚数が余剰設定枚数に達した場合に、余剰設定枚数を超える余剰枚数内で余剰金種を優先した金種構成で入金金額に相当する貨幣を金種別硬貨収納部25および金種別紙幣収納部34から硬貨カセット17および紙幣カセット18へ収納可能か判断し、収納不可能であれば最小構成枚数となる金種構成とし、収納可能であれば余剰金種を優先した金種構成とする。
【００３１】
次に、本実施の形態の作用を説明する。
【００３２】
まず、図４において、余剰設定枚数の設定について説明する。
【００３３】
金種別硬貨収納部25および金種別紙幣収納部34には、金種別に硬貨および紙幣を収納可能とする収納可能枚数が予め設定されており、これら収納可能枚数より少ない枚数であって釣銭準備金として不足しない枚数を余剰設定枚数として金種別に予め設定する。設定された硬貨および紙幣の金種別の余剰設定枚数は余剰設定枚数記憶部45aにそれぞれ記憶する。なお、万円については、釣銭として使用しないため、余剰設定枚数は設定しない。
【００３４】
続いて、図１のフローチャートを参照して入金処理を説明する。
【００３５】
操作者により、入力部42で操作者情報を入力し（ステップ１）、売上金として入金する入金金額を入力する（ステップ２）。さらに、硬貨を硬貨入出金処理部15の入金口部21に、紙幣を紙幣入出金処理部16の入金口部31にそれぞれ投入し、入力部42で計数開始を指令操作する。
【００３６】
計数開始により（ステップ３）、硬貨入出金処理部15では、入金口部21に投入された硬貨を入金口部21から１枚ずつ繰り出して識別部22で識別し、正常硬貨を金種別硬貨収納部25に金種別に選別収納し、また、紙幣入出金処理部16では、入金口部31に投入された紙幣を１枚ずつ繰り出して識別部32で識別し、千円、五千円および万円の正規紙幣を金種別紙幣収納部34に金種別に選別収納する。金種別硬貨収納部25および金種別紙幣収納部34の収納枚数（在高）を更新して金種別収納枚数記憶部45bに記憶する。
【００３７】
投入された全ての硬貨および紙幣の識別および収納が完了した後、投入貨幣の金額が入金金額より大きい場合には、その差額分の釣銭を金種別硬貨収納部25および金種別紙幣収納部34から繰り出して出金口部26および出金口部33に払い出す。金種別硬貨収納部25および金種別紙幣収納部34の収納枚数（在高）を更新して金種別収納枚数記憶部45bに記憶する。
【００３８】
制御部41は、金種別硬貨収納部25および金種別紙幣収納部34の収納枚数と予め設定された余剰設定枚数とを比較し、余剰設定枚数以上となった金種があるか確認する（ステップ４）。
【００３９】
そして、図５(a)に入金処理の一例を示し、金種別硬貨収納部25および金種別紙幣収納部34の入金前の在高（収納枚数）をＡ、二万五千円分の貨幣を入金した場合の金種別の枚数をＢ、入金後の在高をＣとする。この場合、入金後の在高Ｃは、図４に示した予め設定した余剰設定枚数をいずれの金種も超えていない。
【００４０】
余剰設定枚数を超えていない場合には、入金金額に相当する貨幣を、高額金種を主体として最小構成枚数となる金種構成で、金種別硬貨収納部25および金種別紙幣収納部34から硬貨カセット17および紙幣カセット18へ収納する（ステップ５）。同時に、金種別硬貨収納部25および金種別紙幣収納部34の収納枚数（在高）を更新して金種別収納枚数記憶部45bに記憶するとともに、硬貨カセット17および紙幣カセット18の収納枚数（在高）も更新して記憶する。
【００４１】
つまり、図５(a)に示す例の場合、収納金Ｄとして万円を２枚、五千円を１枚の計二万五千円を紙幣カセット18へ収納する。収納後の金種別硬貨収納部25および金種別紙幣収納部34の在高がＥとなる。
【００４２】
また、図５(b)に入金処理の他の例を示し、金種別硬貨収納部25および金種別紙幣収納部34の入金前の在高をＡ、二万五千円分の貨幣を入金した場合の金種別の枚数をＢ、入金後の在高をＣとする。この場合、入金後の在高Ｃは、１００円硬貨のみが図４に示した予め設定した余剰設定枚数を８枚分超えている。
【００４３】
余剰設定枚数を超えた場合で、かつ収納モードとして余剰金優先モードが予め設定されていた場合であって（ステップ６）、さらには余剰設定枚数を超える余剰枚数内で余剰金種を優先した金種構成で入金金額に相当する貨幣を金種別硬貨収納部25および金種別紙幣収納部34から硬貨カセット17および紙幣カセット18へ収納可能であれば（ステップ７）、入金金額に相当する貨幣を、余剰設定枚数に達した余剰金種を優先した金種構成で、金種別硬貨収納部25および金種別紙幣収納部34から硬貨カセット17および紙幣カセット18へ収納する（ステップ８）。同時に、金種別硬貨収納部25および金種別紙幣収納部34の収納枚数（在高）を更新して金種別収納枚数記憶部45bに記憶するとともに、硬貨カセット17および紙幣カセット18の収納枚数（在高）も更新して記憶する。
【００４４】
つまり、図５(b)に示す例の場合、余剰設定枚数を超える１００円の余剰枚数が８枚で、この１００円のうち５枚を優先し、残りの金種は高額金種を主体とする最小構成枚数で万円を２枚、千円を１枚、５００円を１枚の金種構成とすることによって入金金額の二万五千円となるため、余剰設定枚数を超える余剰枚数内で余剰金種を優先した金種構成で入金金額に相当する貨幣を金種別硬貨収納部25および金種別紙幣収納部34から硬貨カセット17および紙幣カセット18へ収納可能である。そのため、収納金Ｄとして、１００円の５枚を優先し、残りの金種は高額金種を主体として最小構成枚数となる金種構成とし、万円を２枚、千円を１枚、５００円を１枚の計二万五千円を硬貨カセット17および紙幣カセット18へ収納する。収納後の金種別硬貨収納部25および金種別紙幣収納部34の在高がＥとなり、１００円硬貨の在高を余剰設定枚数付近に保つことができる。
【００４５】
一方、余剰設定枚数を超える１００円の余剰枚数が５枚未満であった場合、５枚未満の１００円を優先しようとしても、残りの金種について高額金種を主体とする最小構成枚数で入金金額の二万五千円の金種構成にできないため、上述した余剰設定枚数を超えていない場合と同様に、入金金額に相当する貨幣を、高額金種を主体として最小構成枚数となる金種構成で、金種別硬貨収納部25および金種別紙幣収納部34から硬貨カセット17および紙幣カセット18へ収納する。
【００４６】
また、余剰設定枚数を超えた場合で、かつ収納モードとして投入貨幣優先モードが予め設定されていた場合であって、さらには投入金額に対して釣銭の払い出しがない場合には、金種別硬貨収納部25および金種別紙幣収納部34に収納した投入貨幣を硬貨カセット17および紙幣カセット18へ収納する（ステップ９）。同時に、金種別硬貨収納部25および金種別紙幣収納部34の収納枚数（在高）を更新して金種別収納枚数記憶部45bに記憶するとともに、硬貨カセット17および紙幣カセット18の収納枚数（在高）も更新して記憶する。
【００４７】
余剰設定枚数を超えた場合で、かつ収納モードとして投入貨幣優先モードが予め設定されていた場合であって、さらには投入金額に対して釣銭の払い出しがあった場合には、上述した余剰金優先モードと同様に、入金金額に相当する貨幣を、余剰設定枚数に達した余剰金種を優先した金種構成、または高額金種を主体として最小構成枚数となる金種構成で、金種別硬貨収納部25および金種別紙幣収納部34から硬貨カセット17および紙幣カセット18へ収納する。
【００４８】
このように、金種別硬貨収納部25および金種別紙幣収納部34の収納枚数が余剰設定枚数に達していない場合には、金種別硬貨収納部25および金種別紙幣収納部34から硬貨カセット17および紙幣カセット18へ収納する貨幣の金種構成を最小構成枚数となる金種構成とすることにより、金種別硬貨収納部25および金種別紙幣収納部34に釣銭準備金を確保でき、また、金種別硬貨収納部25および金種別紙幣収納部34の収納枚数が余剰設定枚数に達した場合には、金種別硬貨収納部25および金種別紙幣収納部34から硬貨カセット17および紙幣カセット18へ収納する貨幣の金種構成を余剰設定枚数に達した余剰金種を優先した金種構成とすることにより、例えば１円硬貨５０枚を５０円硬貨１枚にするような低額金種から高額金種への逆両替や、運用が進んでも低額金種の金種別硬貨収納部25および金種別紙幣収納部34が満杯になるのを防止できるので低額金種での入金も確実にできる。
【００４９】
さらに、金種別硬貨収納部25および金種別紙幣収納部34の収納枚数が余剰設定枚数に達した場合に、余剰設定枚数を超える余剰枚数内で余剰金種を優先した金種構成で入金金額に相当する貨幣を金種別硬貨収納部25および金種別紙幣収納部34から硬貨カセット17および紙幣カセット18へ収納可能か判断するため、収納可能なときのみ余剰金種を優先した金種構成で収納できる。
【００５０】
また、金種別硬貨収納部25および金種別紙幣収納部34の収納枚数が余剰設定枚数に達した場合に、金種別硬貨収納部25および金種別紙幣収納部34から硬貨カセット17および紙幣カセット18へ収納する貨幣の金種構成を投入貨幣を優先した金種構成とすることにより、上述したように逆両替や低額金種での入金を確実にできる。
【００５１】
なお、貨幣入出金装置としては、売上金を入金する店舗用の貨幣入出金装置に限らず、貨幣を収納および払出可能とする金種別貨幣収納部と貨幣を収納可能とする受収収納部とを備え、金種別貨幣収納部に釣銭準備金を長期間保持する貨幣入出金装置にも適用できる。
【００５２】
また、前記実施の形態では、余剰設定枚数を超える場合に、その余剰設定枚数を超える余剰枚数内で余剰金種を優先した金種構成で入金金額に相当する貨幣を収納可能であるときに収納したが、余剰枚数分を超えて余剰金種を優先した金種構成で入金金額に相当する貨幣を収納可能であるときに収納してもよい。例えば、図５(b)の例においては、１００円の余剰枚数が８枚であった場合に、余剰枚数内の５枚を優先した金種構成としたが、余剰枚数を超えた１０枚を優先した金種構成とすることもできる。
【図面の簡単な説明】
【００５３】
【図１】本発明の一実施の形態を示す貨幣入出金装置の入金処理のフローチャートである。
【図２】同上貨幣入出金装置の構成図である。
【図３】同上貨幣入出金装置のブロック図である。
【図４】同上貨幣入出金装置における余剰設定枚数の設定を説明する説明図である。
【図５】同上貨幣入出金装置における入金処理の例を示し、(a)は入金処理の一例を示す入金および収納に伴う在高の変化を説明する説明図、(b)は入金処理の他の例を示す入金および収納に伴う在高の変化を説明する説明図である。
【符号の説明】
【００５４】
11    貨幣入出金装置
17    受収収納部としての硬貨カセット
18    受収収納部としての紙幣カセット
25    金種別貨幣収納部としての金種別硬貨収納部
34    金種別貨幣収納部としての金種別紙幣収納部
41    制御部
44a   余剰設定枚数設定手段
45a   余剰設定枚数記憶部
【図１】
2005157574.tif 000003
【図２】
2005157574.tif 000004
【図３】
2005157574.tif 000005
【図４】
2005157574.tif 000006
【図５】
2005157574.tif 000007